(57)【要約】【課題】  テーパ軸に対して容易かつ簡単に駆動用ギアの円周方向位置を調整することができる印刷用シリンダと駆動用ギアの結合構造を提供する。【解決手段】  印刷用シリンダと駆動用ギアの結合構造は、テーパ軸１２を有する印刷用シリンダ１１と、テーパ軸１２の外周に嵌合された円筒状の駆動用ギア１３と、テーパ軸１２と駆動用ギア１３との間に介在されたコレット２０とを備えている。コレット２０には軸線方向に延びる複数のスリット２１ａ，２１ｂが形成されている。ボルト１６をテーパ軸１２に締付けてワッシャ１５によりコレット２０をテーパ軸１２側へ押付ける。このとき、コレット２０の外径が拡大してテーパ軸１２に対して駆動用ギア１３を堅固に結合する。【選択図】  図１
2006150910.tif 000002
【特許請求の範囲】
【請求項１】
テーパ軸を有する印刷用シリンダと、
テーパ軸外周に嵌合される円筒状の駆動用ギアと、
テーパ軸と駆動用ギアとの間に介在された円筒状コレットと、
駆動用ギア内に嵌込まれコレットをテーパ軸側へ押圧するワッシャと、を備えたことを特徴とする印刷用シリンダと駆動用ギアの結合構造。
【請求項２】
ワッシャは、ワッシャを貫通してテーパ軸に嵌合するボルトにより、コレットをテーパ軸側へ押圧することを特徴とする請求項１記載の印刷用シリンダと駆動用ギアの結合構造。
【請求項３】
コレットには軸線方向に延びるスリットが形成されていることを特徴とする請求項１記載の印刷用シリンダと駆動用ギアの結合構造。
【請求項４】
コレットのワッシャ側端部には、コレットをテーパ軸と駆動用ギアとの間から引抜くためのフランジが設けられていることを特徴とする請求項１記載の印刷用シリンダと駆動用ギアの結合構造。
【請求項５】
駆動用ギアの内径は、軸線方向に沿って同一の値を有することを特徴とする請求項１記載の印刷用シリンダと駆動用ギアの結合構造。
【発明の詳細な説明】
【技術分野】
【０００１】
本発明はグラビア等の印刷用シリンダと駆動用ギアの結合構造に係り、とりわけ印刷用シリンダと駆動用ギアの円周方向位置を容易に調整することができる印刷用シリンダと駆動用ギアの結合構造に関する。
【背景技術】
【０００２】
図３により、従来の印刷用シリンダと駆動用ギアの結合構造を示す。
【０００３】
図３に示すように、テーパ軸１２を有する印刷用シリンダ１１に対して駆動用ギア２３が嵌込まれている。この場合、駆動用ギア２３の内面はテーパ軸１２の外面に対応してテーパ状に形成され、キー溝２９が設けられたテーパ軸１２と駆動用ギア２３との間にキー２８が挿着されている。
【０００４】
また駆動用ギア２３は、ワッシャ２５を介してボルト２６をテーパ軸１２に締付けることによりテーパ軸１２に固定される。
【発明の開示】
【発明が解決しようとする課題】
【０００５】
上軸のようにテーパ軸１２と駆動用ギア２３との間にキー２８が装着されているため、テーパ軸１２と駆動用ギア２３との円周方向位置は一義的に決まってしまう。このため印刷用シリンダのバラードを一度剥離した後、再度バラードを形成し新しい版を作製して印刷する場合（再版する場合）、絵柄の位置がキー２３に対してずれてしまうことがある。この結果、前回の印刷と同一位置に印刷ウェブのコンペンセータローラを設定しても初期見当が合わないことがある。
【０００６】
本発明はこのような点を考慮してなされたものであり、印刷用シリンダと駆動用ギアの円周方向位置を容易に調整して、印刷用シリンダを用いて繰り返し再版することができる印刷用シリンダと駆動用ギアの結合構造を提供することを目的とする。
【課題を解決するための手段】
【０００７】
本発明は、テーパ軸を有する印刷用シリンダと、テーパ軸外周に嵌合される円筒状の駆動用ギアと、テーパ軸と駆動用ギアとの間に介在された円筒状コレットと、駆動用ギア内に嵌込まれコレットをテーパ軸側へ押圧するワッシャと、を備えたことを特徴とする印刷用シリンダと駆動用ギアの結合構造である。
【０００８】
本発明は、ワッシャは、ワッシャを貫通してテーパ軸に嵌合するボルトにより、コレットをテーパ軸側へ押圧することを特徴とする印刷用シリンダと駆動用ギアの結合構造である。
【０００９】
本発明は、コレットには軸線方向に延びるスリットが形成されていることを特徴とする印刷用シリンダと駆動用ギアの結合構造である。
【００１０】
本発明は、コレットのワッシャ側端部には、コレットをテーパ軸と駆動用ギアとの間から引抜くためのフランジが設けられていることを特徴とする印刷用シリンダと駆動用ギアの結合構造である。
【００１１】
本発明は、駆動用ギアの内径は、軸線方向に沿って同一の値を有することを特徴とする印刷用シリンダと駆動用ギアの結合構造である。
【発明の効果】
【００１２】
以上説明したように、本発明によれば、印刷用シリンダのテーパ軸と駆動用ギアとの間にキーを設ける場合に比べて、印刷用シリンダのテーパ軸に対して容易かつ簡単に駆動用ギアの円周方向位置を調整することができる。
【発明を実施するための最良の形態】
【００１３】
以下、図面を参照して本発明の実施の形態について説明する。
【００１４】
図１および図２は、本発明による印刷用シリンダと駆動用ギアの結合構造の一実施の形態を示す図である。ここで図２（ａ）（ｂ）はコレットの外形図、図２（ｃ）は図２（ｂ）のＣ部拡大図である。
【００１５】
図１および図２に示すように、印刷用シリンダと駆動用ギアの結合構造１０は、テーパ軸１２を有する印刷用シリンダ１１と、テーパ軸１２外周に嵌合される円筒状の駆動用ギア１３と、印刷用シリンダ１１と駆動用ギア１３との間に介在された円筒状コレット２０とを備えている。
【００１６】
このうち駆動用ギア１３は、外周に外歯１３ａを有し、その内面１３ｂがテーパ軸になっておらず、駆動用ギア１３の内径は軸線方向に沿って同一となっている。このため駆動用ギア１３の内面１３ｂは平行穴を形成している。
【００１７】
また、コレット２０は軸線方向に延びる複数のスリット２１ａ，２１ｂを有し、このうちコレット２０の一端側（テーパ軸１２側）に開口するスリット２１ａと、コレット２０の他端側に開口するスリット２１ｂはコレット２０上において円周方向にわたって交互に配置されている。
【００１８】
ところでコレット２０は、駆動用ギア１３内に嵌込まれるワッシャ１５によりテーパ軸１２側へ押圧される。コレット２０はテーパ軸１２に沿って摺動する間、スリット２１ａ，２１ｂによってその外径が拡大するようになっている。この場合、ワッシャ１５は、ワッシャ１５を貫通してテーパ軸１２に嵌合するボルト１６によりテーパ軸１２側へ押圧され、これに伴なってワッシャ１５がコレット２０をテーパ軸１２側へ押圧するようになっている。
【００１９】
またコレット２０の他端側（ワッシャ１５側）の端部には、コレット２０をテーパ軸１２と駆動用ギア１３との間から引抜くためのフランジ２２が設けられている。またコレット２０の外周には、フランジ２２の根元位置に、引抜き工具（図示せず）が係合する段部２４が設けられている。
【００２０】
次にこのような構成からなる本実施の形態の作用について説明する。
【００２１】
まず印刷用シリンダ１１のテーパ軸１２外周に駆動用ギア１３を嵌込む。このときテーパ軸１２外周上で駆動用ギア１３は回転自在となっている。次にテーパ軸１２と駆動用ギア１３との間にコレット２０を装着し、テーパ軸１２に対して駆動用ギア１３を回転させて、駆動用ギア１３を所望の円周方向位置に定める。
【００２２】
次にコレット２０の外方からワッシャ１５を駆動用ギア１３内に嵌込み、ワッシャ１５の開口１５ａにボルト１６を挿入し、ボルト１６をテーパ軸１２のねじ孔１２ａに嵌合させて締め付ける。
【００２３】
このことによりワッシャ１５によってコレット２０がテーパ軸１２側へ押圧される。このときコレット２０がテーパ軸１２外周を摺動し、スリット２１ａ，２１ｂによりその外径が拡大する。このようにコレット２０が外径を拡大することにより、テーパ軸１２に対して駆動用ギア１３が堅固に結合される。
【００２４】
このように本実施の形態によれば、テーパ軸と駆動用ギアとの間にキーを設ける場合に比べて、テーパ軸１２に対して容易かつ簡単に駆動用ギア１３の円周方向位置を調整することができる。
【図面の簡単な説明】
【００２５】
【図１】本発明による印刷用シリンダと駆動用ギアの結合構造を示す斜視図。
【図２】コレットを示す図。
【図３】従来の印刷用シリンダと駆動用ギアの結合構造を示す断面図。
【符号の説明】
【００２６】
１０  印刷用シリンダと駆動用ギアの結合構造
１１  印刷用シリンダ
１２  テーパ軸
１２ａ  ねじ孔
１３  駆動用ギア
１３ａ  外歯
１５  ワッシャ
１６  ボルト
２０  コレット
２１ａ，２１ｂ  スリット
２２  フランジ
【図１】
2006150910.tif 000003
【図２】
2006150910.tif 000004
【図３】
2006150910.tif 000005